(57)【要約】【課題】暗い環境でも筆記具先を明るく照らすことができ、しかも、好みの筆記具に装着可能な筆記具用ライトを提供する。【解決手段】各種筆記具に着脱自在に装着する筆記具用ライトを設ける。筆記具の軸部Ｐに着脱自在に固定する固定体１０を設ける。固定体１０に支持アーム２０を揺動自在に連結する。支持アーム２０の先端にライト３０を連結する。ライト３０の光の照射方向を筆記具側に向けて設置する。ライト３０を軸部Ｐから離すと上方から軸部Ｐの先端部Ｐ１に向けて光を照射するように構成する。【選択図】  図１
0003179785.tif 000002
【実用新案登録請求の範囲】
【請求項１】
各種筆記具に着脱自在に装着する筆記具用ライトにおいて、筆記具の軸部の後端部に挟着手段又は嵌合手段で着脱自在に固定する固定体と、該固定体に揺動自在に連結された支持アームと、該支持アームの先端に連結されたライトとを有し、該ライトの光の照射方向を筆記具側に向けて設置し、支持アームの揺動でライトを軸部から離すと軸部を持つ手指の上方から軸部の先端部に向けて光を照射するように構成したことを特長とする筆記具用ライト。
【請求項２】
前記ライトは、リチウム電池で点灯するＬＥＤライトとする請求項１記載の筆記具用ライト。
【請求項３】
前記固定体は、前記軸部の後端部を挿通せしめる環状部と、該環状部の外側から内側に向けてねじ込む圧着ネジとで構成され、環状部に挿通した前記軸部の後端部側面を圧着ネジで挟着して前記軸部に着脱自在に固定するように構成した請求項１記載の筆記具用ライト。
【請求項４】
前記固定体の側面に前記筆記具をポケットに係止せしめるクリップを備えた請求項１記載の筆記具用ライト。
【考案の詳細な説明】
【技術分野】
【０００１】
本考案は、ボールペンや鉛筆等の筆記具に装着する筆記具用ライトに係り、特に夜間や暗い場所でも筆記具の使用を可能にする筆記具用ライトに関する。
【背景技術】
【０００２】
従来、筆記具に装着して手元を照らすように構成した筆記具用ライトが特許文献１や特許文献２などに記載されている。
【０００３】
いずれのライトも筆記具の軸部に装着したものである。特許文献１のライトは筆記具の軸部に沿って着脱自在に装着できるように構成している。一方、特許文献２のライトは、筆記具の軸部の後端部に棒状のライトを予め揺動自在に固定したものである。
【先行技術文献】
【特許文献】
【０００４】
【特許文献１】特開平８‐２１６５９３号公報
【特許文献２】実開平６‐７１１８１号公報
【考案の概要】
【考案が解決しようとする課題】
【０００５】
一般に、暗い場所で筆記具を使用する場合、筆記具の先端であるペン先を最も明るくする必要がある。ところが、従来の筆記具用ライトでは、肝心なペン先に光を照射することは困難であった。
【０００６】
すなわち、特許文献１に記載のランプは、軸部に沿って着脱自在にライトを装着できる構造であるが、軸部と平行にライトを装着すると、ライトの光はペン先から離れた位置を照射することになる。特に、軸部に沿って照射された光が軸部を照らしても、この照射された軸部よりも内側に位置するペン先に影が生じることになり、肝心なペン先に十分な光を当てることが困難になる。
【０００７】
しかも、筆記具の先端側にライトを装着すると、この筆記具を持つ手指でライトの光を妨げてしまい、より広範囲な影が生じる虞もある。また、筆記具の先端に装着したライトが筆記具使用時の妨げになり、極めて書き難くなる不都合もある。
【０００８】
一方、特許文献２に記載のライトは、軸部の後端部に連結されており、点灯部が筆記具の軸部先端に配置されている。このため、筆記具を持つ手指が点灯部先端を囲むことになり、ペン先は手指の影が生じる虞がある。また、この影が生じないようにライトの上から筆記具を持って使用すると、極めて書き難くなる。しかも、予め特定の筆記具にライトを装着する構成では、任意の筆記具を利用することはできない。
【０００９】
そこで、本考案は上述の課題を解消すべく案出されたもので、暗い環境でも筆記具先を明るく照らすことができ、しかも、好みの筆記具に装着可能な筆記具用ライトの提供を目的とするものである。
【課題を解決するための手段】
【００１０】
上述の目的を達成すべく本考案における第１の手段は、各種筆記具に着脱自在に装着する筆記具用ライトにおいて、筆記具の軸部Ｐの後端部Ｐ２に挟着手段又は嵌合手段で着脱自在に固定する固定体１０と、該固定体１０に揺動自在に連結された支持アーム２０と、該支持アーム２０の先端に連結されたライト３０とを有し、該ライト３０の光の照射方向を筆記具側に向けて設置し、支持アーム２０の揺動でライト３０を軸部Ｐから離すと軸部Ｐを持つ手指の上方から軸部Ｐの先端部Ｐ１に向けて光を照射するように構成したことにある。
【００１１】
第２の手段において、前記ライト３０は、リチウム電池で点灯するＬＥＤライトとする。
【００１２】
第３の手段において、前記固定体１０は、前記軸部Ｐの後端部Ｐ２を挿通せしめる環状部１１と、該環状部１１の外側から内側に向けてねじ込む圧着ネジ１２とで構成され、環状部１１に挿通した前記軸部Ｐの後端部Ｐ２側面を圧着ネジ１２で挟着して前記軸部Ｐに着脱自在に固定するように構成している。
【００１３】
第４の手段は、前記固定体１０の側面に前記筆記具をポケットに係止せしめるクリップ１３を備えたことにある。
【考案の効果】
【００１４】
本考案の請求項１のように、ライト３０の光の照射方向を筆記具側に向けて設置し、支持アーム２０の揺動でライト３０を軸部Ｐから離すと軸部Ｐを持つ手指の上方から軸部Ｐの先端部Ｐ１に向けて光を照射するように構成したことにより、暗い環境でも筆記具先を明るく照らすことができる。したがって従来の筆記具用ライトのように、筆記具を持つ手指や軸部などによって影が生じることなく、ペン先の周辺を最も明るく照らすことができる。
【００１５】
更に、支持アーム２０は固定体１０に対して揺動自在に連結され、ライト３０を軸部Ｐから好みの位置に放すことができるので、軸部Ｐの長さや手指の大きさに応じてライト３０の位置を適位置に調整することができる。
【００１６】
しかも、固定体１０は、筆記具の軸部Ｐの後端部Ｐ２に挟着手段又は嵌合手段で着脱自在に固定するものであるから、好みの筆記具に装着することが可能になる。
【００１７】
請求項２の如く、ライト３０は、リチウム電池で点灯するＬＥＤライトとすることで、明るく軽量で、長時間の使用が可能になる。
【００１８】
請求項３のように、固定体１０は、前記軸部Ｐの後端部Ｐ２を挿通せしめる環状部１１と、該環状部１１の外側から内側に向けてねじ込む圧着ネジ１２とで構成され、環状部１１に挿通した前記軸部Ｐの後端部Ｐ２側面を圧着ネジ１２で挟着して前記軸部Ｐに着脱自在に固定するように構成したことにより、使用する筆記具の軸部Ｐの太さが大きく異なっても固定体１０を装着することが可能になる。
【００１９】
請求項４の如く、固定体１０の側面に前記筆記具をポケットに係止せしめるクリップ１３を備えたことで、例えば鉛筆などのようにクリップを備えていない筆記具でも
固定体１０を連結することで、ポケットに係止することが可能になるものである。
【図面の簡単な説明】
【００２０】
【図１】本考案の一実施例を示す正面図である。
【図２】本考案の他の実施例を示す正面図である。
【考案を実施するための形態】
【００２１】
本考案によると、暗い環境でも筆記具の先を明るく照らすことができ、しかも、好みの筆記具に装着可能な筆記具用ライトを提供することに成功した。
【００２２】
以下、本考案の実施例を説明する。本考案はボールペンや鉛筆等の筆記具の軸部Ｐに着脱自在に装着するライトであり、基本構成は、固定体１０、支持アーム２０、ライト３０にて構成されている。
【００２３】
固定体１０は、筆記具の軸部Ｐの後端部Ｐ２に挟着手段又は嵌合手段で着脱自在に固定する部材である。図１に示す固定体１０は、軸部Ｐの後端部Ｐ２を挿通せしめる環状部１１と、該環状部１１の外側から内側に向けてねじ込む圧着ネジ１２を備えたものである。このとき、圧着ネジ１２は、軸部１２Ａに沿って操作リング１２Ｂの位置を移動して環状部１１内の軸部Ｐ側面を挟着するように構成している。
【００２４】
また、保持体１０の構成は内部にテーパーが設けられた環状を成し、軸部Ｐの後端部Ｐ２を差し込んで強制的に嵌合するように構成することも可能である（図２参照）。同図に示す固定体１０には、側面に筆記具をポケットに係止せしめるクリップ１３を備えている。
【００２５】
更に、別の固定体１０として、軸部Ｐの側面を両側から挟着せしめる把持クリップ状の挟着部を備えた固定体１０とすることも可能である（図示せず）。
【００２６】
支持アーム２０は、固定体１０に揺動自在に連結される部材で、後述するライト３０を支持するものである。図示の支持アーム２０は、固定体１０の側面に設けた支持突起１４を貫通する揺動軸２１で揺動杆２２が連結されたものである。そして、この揺動杆２２の先端部にライト３０が装着されている。
【００２７】
ライト３０は、光の照射方向を筆記具の軸部Ｐ側に向けて設置されている。すなわち、光の向きを支持アーム２０側から軸部Ｐ方向に設定している。このことにより、支持アーム２０の揺動でライト３０を軸部Ｐから離すと、軸部Ｐを持つ手指の上方から軸部Ｐの先端部Ｐ１に向けて光を照射するように構成される（図１参照）。
【００２８】
図示のライト３０は、支持アーム２０の端部に一体に形成されたものであるが、支持アーム２０と別体に構成することも可能である。そして、支持アーム２０と軸部Ｐとを平行にした際の軸部Ｐ側に電球３１を配置している。このとき、ライト３０は、リチウム電池で点灯するＬＥＤライトを使用している。尚、図中、符号３２は点灯用のスイッチであり、符号３３はリチウム電池の収納部である。
【００２９】
本考案において、固定体１０、支持アーム２０、ライト３０の形状や構成図示例に限られるものではない。また、ライト３０の形状及び電球３１や電池の種類の選択は実施例に限られるものではなく、本考案の主旨を変更しない範囲での設計変更は任意に行えるものである。
【符号の説明】
【００３０】
Ｐ  軸部
Ｐ１  先端部
Ｐ２  後端部
１０  固定体
１１  環状部
１２  圧着ネジ
１２Ａ  軸部
１２Ｂ  操作リング
１３  クリップ
１４  支持突起
２０  支持アーム
２１  揺動軸
２２  揺動杆
３０  ライト
３１  電球
３２  スイッチ
３３  収納部
【図１】
0003179785.tif 000003
【図２】
0003179785.tif 000004